(57)【要約】【課題】、レンズを円滑にかつ速やかに移動することができると共に、携帯情報端末機に組み込み可能に小型化されたレンズ駆動装置を提供する。【解決手段】レンズＧを保持するレンズ枠１０、レンズ枠１０の円筒状の外周面１１が摺動自在に嵌合してレンズ枠１０を光軸方向に移動自在に支持する内周面２２ａをもつ筒状支持部２２を有する固定枠２０、筒状支持部２２の外側に光軸Ｌを中心とする同心状に配置されてレンズ枠１０を光軸方向の前側及び後側から付勢する前側コイルバネ３０及び後側コイルバネ４０等を備え、後側コイルバネ４０が形状記憶合金で形成されて通電／非通電による温度変化により光軸方向に伸縮する、構成とした。これにより、レンズＧを円滑にかつ速やかに移動させることができると共に携帯情報端末機に組み込み可能に装置を小型化できる。【選択図】  図２
2006098829.tif 000002
【特許請求の範囲】
【請求項１】
レンズを保持するレンズ枠と、前記レンズ枠を光軸方向にのみ移動自在に支持する筒状支持部を有する固定枠と、光軸方向に伸縮し得るコイルバネと、を備え、
前記コイルバネは、前記筒状支持部の外側に露出して同心状に配置され，かつ，通電／非通電による温度変化により光軸方向に伸縮して駆動力を発生すべく形状記憶合金により形成された形状記憶合金バネを含む、
ことを特徴とするレンズ駆動装置。
【請求項２】
前記コイルバネは、前記レンズ枠を光軸方向の前側及び後側から付勢するべく当接して配置された前側コイルバネ及び後側コイルバネを含み、
前記前側コイルバネ及び後側コイルバネの少なくとも一方は、前記形状記憶合金であり、
前記レンズ枠は、その外周面から径方向に突出する腕部と、前記腕部に連結されると共に前記筒状支持部の外側に配置されて前記前側コイルバネ及び後側コイルバネの一端を受ける環状のバネ受け部と、を有し、
前記筒状支持部は、前記腕部を挿通させるべく光軸方向に伸長して形成されたガイド孔を有する、
ことを特徴とする請求項１に記載のレンズ駆動装置。
【請求項３】
前記形状記憶合金バネは、その一端が光軸周りに相対的に回動可能に前記固定枠及びレンズ枠の一方に掛止され、その他端が前記固定枠及びレンズ枠の他方に掛止され、
前記レンズ枠は、その外周面から径方向に突出する腕部と、前記腕部に連結されると共に前記筒状支持部の外側に配置された環状支持部と、前記環状支持部により光軸周りに回動自在に支持されると共に前記形状記憶合金バネの一端が掛止されたバネ受けリングと、を有し、
前記筒状支持部は、前記腕部を挿通させるべく光軸方向に伸長して形成されたガイド孔を有する、
ことを特徴とする請求項１に記載のレンズ駆動装置。
【発明の詳細な説明】
【技術分野】
【０００１】
本発明は、レンズを光軸方向に移動させるアクチュエータを備えたレンズ駆動装置に関し、特に、携帯電話機、携帯型パーソナルコンピュータ等の携帯情報端末機に搭載されるカメラに適用されるレンズ駆動装置に関する。
【背景技術】
【０００２】
カメラに近接撮影位置（マクロ撮影位置）と通常の撮影位置との切替を行うマクロ切替機能、ズーム機能あるいは合焦機能をもたせるためには、レンズを光軸方向に移動させるレンズ駆動装置が必要となる。従来のレンズ駆動装置として、レンズを駆動するアクチュエータに形状記憶合金を用いたものが知られている（例えば、特許文献１、特許文献２を参照）。
【特許文献１】実開平１−１２８２０９号公報
【特許文献２】特開平９−１２７３９８号公報
【発明の開示】
【発明が解決しようとする課題】
【０００３】
ところで、レンズ駆動装置を携帯電話機、携帯型パーソナルコンピュータ等の携帯情報端末機に組み込むためには、小型化されると共に、レンズを円滑にかつ速やかに移動できるものにする必要がある。
しかしながら、従来の形状記憶合金を用いたレンズ駆動装置では、形状記憶合金は、鏡筒内に収容されているため、加熱された後に自然冷却されて所定形状に復元するまでに時間を要し、レンズを円滑にかつ速やかに移動させることが困難であった。また、従来の形状記憶合金を用いたレンズ駆動装置では、レンズを光軸方向に円滑に駆動させるべく、ガイドロッド等の案内機構を用いるため、装置の小型化が困難であった。
【０００４】
本発明は、上記の事情に鑑みて成されたものであり、その目的とするところは、レンズを円滑にかつ速やかに移動させることができると共に、携帯情報端末機に組み込み可能に小型化されたレンズ駆動装置を提供することにある。
【課題を解決するための手段】
【０００５】
本発明に係るレンズ駆動装置は、レンズを保持するレンズ枠と、レンズ枠を光軸方向にのみ移動自在に支持する筒状支持部を有する固定枠と、光軸方向に伸縮し得るコイルバネと、を備え、コイルバネは、筒状支持部の外側に露出して同心状に配置され，かつ，通電／非通電による温度変化により光軸方向に伸縮して駆動力を発生するべく形状記憶合金により形成された形状記憶合金バネを含む、ことを特徴としている。
この構成によれば、形状記憶合金バネは、通電により加熱されて伸長又は収縮した状態から通電を停止されると、筒状支持部の外側に露出して配置されているので、効率良く冷却されて速やかに収縮又は伸長する。それ故に、レンズ枠を速やかに光軸方向に移動させることができる。また、レンズは、筒状支持部により形状記憶合金バネとは隔てられているので、形状記憶合金バネの発生する熱がレンズやその光路に影響を及ぼすのを防止できる。さらに、形状記憶合金バネは筒状支持部の外側に同心状に配置されているので、レンズ枠には、光軸周りにおいて略均等に力が作用し、光軸方向の移動に際してレンズ枠の光軸がぶれることがなく、レンズ枠を円滑に移動させることができる。
【０００６】
上記構成において、コイルバネは、レンズ枠を光軸方向の前側及び後側から付勢するべく当接して配置された前側コイルバネ及び後側コイルバネを含み、前側コイルバネ及び後側コイルバネの少なくとも一方は、形状記憶合金であり、レンズ枠は、その外周面から径方向に突出する腕部と、腕部に連結されると共に筒状支持部の外側に配置されて前側コイルバネ及び後側コイルバネの一端を受ける環状のバネ受け部と、を有し、筒状支持部は、腕部を挿通させるべく光軸方向に伸長して形成されたガイド孔を有する、構成を採用できる。
この構成によれば、例えば、前側コイルバネ及び後側コイルバネの一方が通電により加熱されて伸長すると、一方のコイルバネは、他方のコイルバネの付勢力に抗しながらレンズ枠を一の撮影位置から他の撮影位置へ移動させる。そして、一方のコイルバネへの通電を停止すると、一方のコイルバネが自然冷却されて収縮する。このとき、レンズ枠は、他方のコイルバネにより常時付勢されているので、再び一の撮影位置に速やかに移動する。
また、装置の小型化及び組付けの容易化を実現しつつ、レンズ枠を光軸方向にのみ移動自在に案内することができる。
【０００７】
上記構成において、形状記憶合金バネは、その一端が光軸周りに相対的に回動可能に固定枠及びレンズ枠の一方に掛止され、その他端が固定枠及びレンズ枠の他方に掛止され、レンズ枠は、その外周面から径方向に突出する腕部と、腕部に連結されると共に筒状支持部の外側に配置された環状支持部と、環状支持部により光軸周りに回動自在に支持されると共に形状記憶合金バネの一端が掛止されたバネ受けリングと、を有し、筒状支持部は、腕部を挿通させるべく光軸方向に伸長して形成されたガイド孔を有する、構成を採用できる。
この構成によれば、装置構成が簡略化されると共に、形状記憶合金バネの伸縮の際に生じる回動成分がレンズ枠に伝達されるのを防止できるので、レンズ枠の円滑な移動が可能となる。また、レンズ枠を光軸方向にのみ移動自在に案内することができると共に、バネ受けリングにより形状記憶合金バネに生じる回動成分を円滑に吸収できる。
【発明の効果】
【０００８】
本発明のレンズ駆動装置によれば、形状記憶合金バネを用いてレンズを円滑にかつ速やかに駆動することができると共に携帯情報端末機に組み込み可能に小型化することができ、又、装置の組付け作業が非常に容易になる。
【発明を実施するための最良の形態】
【０００９】
以下、本発明の最良の実施形態について、添付図面を参照しつつ説明する。
図１ないし図５は、本発明に係るレンズ駆動装置の一実施形態を示すものであり、図１はレンズ枠が通常撮影位置にある装置の側面図、図２はレンズ枠が通常撮影位置にある装置の光軸方向の断面図、図３は装置の分解斜視図、図４はレンズ枠が近接撮影位置にある装置の側面図、及び図５はレンズ枠が近接撮影位置にある装置の光軸方向の断面図である。
【００１０】
この装置は、図１ないし図３に示すように、レンズＧを保持するレンズ枠１０、撮像素子としてのＣＣＤ２００を保持すると共にレンズ枠１０を光軸Ｌの方向（以下、光軸方向という）に移動自在に支持する固定枠２０、固定枠２０の後述する筒状支持部２２の外側に露出して光軸Ｌを中心とする同心状に配置されてレンズ枠１０を光軸方向に付勢する前側コイルバネ３０及び形状記憶合金バネとしての後側コイルバネ４０、固定枠２０の後述する筒状支持部２２に固定されるバネ受け部材５０等を備える。
【００１１】
この装置においては、被写体光が光軸方向からレンズＧに進入し、ＣＣＤ２００の撮像面において結像する。また、固定枠２０にＣＣＤ２００を保持させることで、カメラユニットが形成される。
【００１２】
レンズ枠１０は、樹脂により略円筒状に形成され、図１ないし図３に示すように、その内側にレンズＧを保持すると共に、固定枠２０の後述する内周面２２ａに摺動可能に嵌合する光軸Ｌを中心にもつ円筒状の外周面１１、外周面１１の外側に配置されて前側コイルバネ３０及び後側コイルバネ４０の一端を受ける環状のバネ受け部１２、外周面１１から径方向に突出してバネ受け部１２と連結される腕部１３等を備える。
バネ受け部１２は、光軸方向の前方に形成された環状の受け面１２ａにより前側コイルバネ３０の一端を受けると共に、光軸方向の後方に形成された環状の受け面１２ｂに後側コイルバネ４０の一端を受ける。
腕部１３は、外周面１１から径方向に突出すると共に、バネ受け部１２の周方向において、等間隔に複数（３つ）形成され、固定枠２０の後述するガイド孔２３に挿通される。
【００１３】
固定枠２０は、樹脂により形成されて装置の外輪郭を画定しており、図１ないし図３に示すように、ＣＣＤ２００を保持する保持部としての基部２１、基部２１から光軸方向に円筒状に伸長する筒状支持部２２等を備える。
基部２１は、矩形状の外形を有し、光軸方向の前方に位置して後側コイルバネ４０を受ける前面２１ａ、その内側においてＣＣＤ２００を保持する保持部２１ｂ等を備える。
筒状支持部２２は、基部２１の前面２１ａから光軸方向に伸長して形成されると共に、レンズ枠１０の外周面１１が摺動可能に嵌合する光軸Ｌを中心にもつ円筒状の内周面２２ａ、バネ受け部材５０が固定される環状の前端面２２ｂ、前端面２２ｂに形成されてバネ受け部材５０の後述する嵌合孔５０ａに嵌め込まれる複数の突起２２ｃ、前端面２２ｂから光軸方向の後方に伸長すると共に周方向において等間隔に形成された複数（３つ）のガイド孔２３等を備える。
筒状支持部２２は、その内周面２２ａにレンズ枠１０の外周面１１が摺動可能に嵌合することにより、レンズ枠１０を光軸方向に移動自在に支持すると共に、レンズ枠１０の腕部１３がそのガイド孔２３に挿通されることにより、レンズ枠１０の光軸Ｌの回りにおける回動を規制して光軸方向に移動自在に案内する。これにより、レンズ枠１０は、筒状支持部２２により光軸方向にのみ移動自在に支持される。
【００１４】
前側コイルバネ３０は、スチール等の金属製の線材をコイル状に成形したものであり、図１ないし図３に示すように、筒状支持部２２の外側に露出して光軸Ｌを中心とする同心状に配置されると共に、その一端がレンズ枠１０のバネ受け部１２（の環状の受け面１２ａ）に当接しかつその他端がバネ受け部材５０に当接することにより、レンズ枠１０を光軸方向の前側から後方に向けて付勢している。
【００１５】
後側コイルバネ４０は、一方向性素子としての形状記憶合金製の線材をコイル状に成形した形状記憶合金バネであり、図１ないし図３に示すように、筒状支持部２２の外側に露出して光軸Ｌを中心とする同心状に配置されると共に、その一端が基部２１の前面２１ａに当接しかつその他端がレンズ枠１０のバネ受け部１２（の環状の受け面１２ｂ）に当接することにより、レンズ枠１０を光軸方向の後側から前方に向けて付勢している。
形状記憶合金は、予め与えられた変形歪が、特定の温度領域において、ゼロとなって元の形状に回復する性質をもつ金属であり、例えば、Ｎｉ―Ｔｉ合金である。
後側コイルバネ４０は、その両端が駆動回路２５０にそれぞれ電気的に接続されていると共に、図示しない電気絶縁材料により表面が被覆されている。後側コイルバネ４０は、駆動回路２５０により通電されると、加熱されて特定の温度領域となり、そのピッチが光軸方向に所定の長さだけ伸長する。また、後側コイルバネ４０は、通電を停止されると、自然に冷却されると共にコイルバネ３０の付勢力により、光軸方向に所定の長さだけ収縮し、加熱される前の形状に回復する。すなわち、後側コイルバネ４０は、通電／非通電による温度変化により光軸方向に伸縮し、レンズ枠１０を光軸方向に駆動させる。
【００１６】
バネ受け部材５０は、樹脂により環状に形成され、図１ないし図３に示すように、筒状支持部２２の突起２２ｃが嵌まる複数の嵌合孔５０ａを備え、嵌合孔５０ａに突起２２ｃが嵌め込まれた状態で筒状支持部２２の前端面２２ｂに接着剤等により固定される。バネ受け部材５０は、筒状支持部２２の前端面２２ｂに固定されることにより、レンズ枠１０がガイド孔２３から抜け落ちるのを防ぐと共に前側コイルバネ３０の一端を受ける。
【００１７】
上記のレンズ駆動装置の組立手順は、先ず、後側コイルバネ４０を、前端側から筒状支持部２２の外側に嵌め込み、次いで、レンズＧを保持したレンズ枠１０を、腕部１３をガイド孔２３に合わせながら前端側から筒状支持部２２の内周面２２ａに嵌め込む。次いで、前側コイルバネ３０を、前端側から筒状支持部２２の外側に嵌め込んだ後に、筒状支持部２２の前端面２２ｂにバネ受け部材５０を固定する。これにより、レンズ駆動装置の組み立てが完了する。このように、筒状支持部２２の前端側から全て組付けることができるので、組付け作業が非常に容易となる。
【００１８】
上記のレンズ駆動装置の動作について、図１、図２、図４及び図５を参照して説明すると、図１及び図２に示すように、レンズ駆動装置のレンズ枠１０が通常撮影位置にある状態では、レンズ枠１０は、光軸方向の後方に繰り込んでいる。この位置からレンズ枠１０を近接撮影位置に移動させるには、駆動回路２５０により後側コイルバネ４０に通電する。尚、駆動回路２５０は、この装置が携帯情報端末機に搭載された場合に、その操作釦等を操作者が操作することにより起動される。
後側コイルバネ４０は、通電されると、その電気抵抗により加熱されて光軸方向に伸長し、前側コイルバネ３０の付勢力に抗ってレンズ枠１０を光軸方向の前方に向けて移動させる。これにより、レンズ枠１０は、図４及び図５に示すように、筒状支持部２２の前方に繰り出されて近接撮影位置に到達する。
【００１９】
レンズ枠１０を近接撮影位置から通常撮影位置に移動させるには、駆動回路２５０による後側コイルバネ４０への通電を停止する。通電を停止すると、後側コイルバネ４０は、自然冷却により温度が低下すると共にコイルバネ３０の付勢力により、光軸方向に収縮する。このとき、後側コイルバネ４０は、装置の外部に露出しているので、効率良く冷却されて速やかに収縮すると共に、前側コイルバネ３０は、レンズ枠１０を通常撮影位置側に向けて常時付勢しているので、レンズ枠１０は、速やかに通常撮影位置に移動する。したがって、この装置が、携帯情報端末機等に搭載された場合、その操作者は、操作による結果を速やかに得ることができる。
【００２０】
以上のように、本実施形態によれば、レンズ枠１０、筒状支持部２２、前側コイルバネ３０及び後側コイルバネ４０を光軸Ｌを中心に同心状に配置すると共に、基部２１の前面２１ａ、バネ受け部１２及びバネ受け部材５０により前側コイルバネ３０及び後側コイルバネ４０の両端を全周に亘り確実に受ける構成としたので、レンズ枠１０にはその周方向において略均一な力が作用し、装置の小型化を実現しつつレンズ枠１０を光軸方向に円滑に移動させることが可能となる。
また、形状記憶合金バネとしての後側コイルバネ４０とレンズ枠１０とは、筒状支持部２２により隔てられているので、後側コイルバネ４０の発生する熱は、レンズＧや光路に伝達されにくく、撮像画像に悪影響を及ぼさない。
また、後側コイルバネ４０によりレンズ枠１０を駆動するので、複雑な駆動機構を必要とせず、装置を大幅に小型化できると共に、駆動機構による騒音の発生を防止できる。
さらに、レンズ枠１０が前側コイルバネ３０及び後側コイルバネ４０により光軸方向の両側から付勢（押圧）されているので、衝撃に強い構造をもつ。
【００２１】
次に、上記レンズ駆動装置を備えたカメラユニットを携帯情報端末に適用した例について図６を参照して説明する。
図６は、本体３１０に対して表示装置を搭載する蓋部３２０を開閉できる形式の携帯電話機を示している。
カメラユニット３００は、蓋部３２０の表示装置とは反対側の側面に形成された搭載部３２１に搭載されている。カメラユニット３００は、小型化されているので、蓋部３２０の搭載部３２１のような狭小なスペースにも内蔵することができる。
【００２２】
図７ないし図９は、本発明に係るレンズ駆動装置の他の実施形態を示すものであり、図７は装置の側面図、図８は装置の光軸方向の断面図、及び図９は装置の分解斜視図である。尚、図７ないし図９において、上記実施形態と同一構成部分については同一の符号を使用している。
この装置は、図７ないし図９に示すように、レンズＧを保持するレンズ枠１１０、撮像素子としてのＣＣＤ２００を保持すると共にレンズ枠１１０を光軸方向に移動自在に支持する固定枠１２０、固定枠１２０の後述する筒状支持部１２２の外側に露出して光軸Ｌを中心とする同心状に配置された二方向性素子の形状記憶合金バネとしてのコイルバネ１３０等を備える。
【００２３】
この装置においては、被写体光が光軸方向からレンズＧに進入し、ＣＣＤ２００の撮像面において結像する。また、固定枠１２０にＣＣＤ２００を保持させることで、カメラユニットが形成される。
【００２４】
レンズ枠１１０は、樹脂により略円筒状に形成され、図７ないし図９に示すように、その内側にレンズＧを保持すると共に、固定枠１２０の後述する内周面１２２ａに摺動可能に嵌合する光軸Ｌを中心にもつ円筒状の外周面１１１、外周面１１１の外側に配置されて
後述するバネ受けリング１１４を回動自在に支持する環状支持部１１２、外周面１１１から径方向に突出して環状支持部１１２と連結される腕部１１３、環状支持部１１２の外周面において回動自在に支持されてコイルバネ１３０の一端を受けるバネ受けリング１１４等を備える。
環状支持部１１２は、その外周面に形成された環状の溝部１１２ａにより、バネ受けリング１１４を回動自在に支持している。
腕部１１３は、外周面１１１から径方向に突出すると共に、環状支持部の周方向において、等間隔に複数（３つ）形成され、固定枠１２０の後述するガイド孔１２３に挿通される。
バネ受けリング１１４は、環状支持部１１２の溝部１１２ａに嵌め込まれ、レンズ枠１１０に対して光軸Ｌの回りにおいて相対的に回動し得ると共に、コイルバネ１３０の後述する一端部１３１を掛止するための掛止孔１１４ａ、コイルバネ１３０の一端を受ける光軸方向の後方に形成された環状の受け面１１４ｂ等を備える。
【００２５】
固定枠１２０は、樹脂により形成されて装置の外輪郭を画定しており、図７ないし図９に示すように、ＣＣＤ２００を保持する保持部としての基部１２１、基部１２１から光軸方向に円筒状に伸長する筒状支持部１２２等を備える。
基部１２１は、矩形状の外形を有し、光軸方向の前方に位置してコイルバネ１３０の他端を受ける前面１２１ａ、その内側においてＣＣＤ２００を保持する保持部１２１ｂ、コイルバネ１３０の後述する他端部１３２を掛止するための掛止孔１２１ｃ等を備える。
筒状支持部１２２は、基部１２１の前面１２１ａから光軸方向に伸長して形成されると共に、レンズ枠１１０の外周面１１１が摺動可能に嵌合する光軸Ｌを中心にもつ円筒状の内周面１２２ａ、前端面１２２ｂから光軸方向の後方に伸長すると共に周方向において等間隔に形成された複数（３つ）のガイド孔１２３等を備える。
筒状支持部１２２は、その内周面１２２ａにレンズ枠１１０の外周面１１１が摺動可能に嵌合することにより、レンズ枠１１０を光軸方向に移動自在に支持すると共に、レンズ枠１１０の腕部１１３がそのガイド孔１２３に挿通されることにより、レンズ枠１１０の光軸Ｌ回りの回動を規制して光軸方向に移動自在に案内する。これにより、レンズ枠１１０は、筒状支持部１２２により光軸方向にのみ移動自在に支持される。
【００２６】
コイルバネ１３０は、形状記憶合金製の線材をコイル状に成形した形状記憶合金バネであり、図７ないし図９に示すように、筒状支持部１２２の外側に露出して光軸Ｌを中心とする同心状に配置されると共に、その一端がレンズ枠１１０のバネ受けリング１１４（の環状の受け面１１４ｂ）に当接しかつその他端が固定枠１２０の前面１２１ａに当接している。
また、コイルバネ１３０は、その一端部１３１が、バネ受けリング１１４の掛止孔１１４ａに挿通されて先端部が折り曲げられることにより、バネ受けリング１１４に掛止されていると共に、その他端部１３２が、固定枠１２０の掛止孔１２１ｃに挿通されて先端部が折り曲げられることにより、固定枠１２０に掛止されている。
さらに、コイルバネ１３０は、その両端が駆動回路２５０にそれぞれ電気的に接続されていると共に、図示しない電気絶縁材料により表面が被覆されている。コイルバネ１３０は、駆動回路２５０により通電されると、加熱されて特定の温度領域となり、ピッチが光軸方向に所定の長さだけ伸長する。また、コイルバネ１３０は、通電を停止されると、自然に冷却されて、光軸方向に所定の長さだけ収縮し、加熱される前の形状に回復する。すなわち、コイルバネ１３０は、通電／非通電による温度変化により光軸方向に伸縮し、レンズ枠１１０を光軸方向に駆動させる。
【００２７】
上記のレンズ駆動装置の動作について説明すると、レンズ駆動装置のレンズ枠１１０が通常撮影位置にある状態では、レンズ枠１１０は、図７及び図８に示すように、光軸方向の後方に繰り込んでいる。この位置からレンズ枠１１０を光軸方向の前方に向けて繰り出して近接撮影位置に移動させるには、駆動回路２５０によりコイルバネ１３０に通電する。
コイルバネ１３０は、通電されると、その電気抵抗により加熱され、光軸方向に伸長してレンズ枠１１０を図示しない近接撮影位置に移動させる。このとき、コイルバネ１３０のバネ材料の長さも伸長して光軸Ｌの周りの回動成分が発生する場合には、バネ受けリング１１４がレンズ枠１１０に対して相対的に回動し、コイルバネ１３０のピッチの伸長成分のみがレンズ枠１１０に伝達される。それ故に、レンズ枠１１０は光軸方向に円滑に移動する。
レンズ枠１１０は、近接撮影位置から通常撮影位置に移動させるには、駆動回路２５０によるコイルバネ１３０への通電を停止する。通電を停止すると、コイルバネ１３０は、自然冷却により温度が低下し、光軸方向に収縮する。このとき、コイルバネ１３０の両端部１３１，１３２は、バネ受けリング１１４及び固定枠１２０にそれぞれ掛止されているので、レンズ枠１１０は、コイルバネ１３０の収縮により光軸方向の後方に向けて繰り込み、通常撮影位置に到達する。尚、収縮するコイルバネ１３０に回動成分がある場合には、バネ受けリング１１４が回動する。
【００２８】
以上のように、本実施形態によれば、レンズ枠１１０、固定枠１２０及び形状記憶合金バネとしてのコイルバネ１３０によりレンズ駆動装置を構成することができるので、装置を一層小型化することができる。また、コイルバネ１３０とレンズ枠１１０とは、筒状支持部１２２により隔てられているので、コイルバネ１３０の発生する熱は、レンズＧや光路に伝達されにくく、撮像画像に悪影響を及ぼさない。さらに、バネ受けリング１１４を設けることにより、コイルバネ１３０の回動成分を円滑に吸収することができる。
【００２９】
上記実施形態では、後側コイルバネ４０及びコイルバネ１３０は、加熱されると伸長し、冷却されると収縮する構成にしたが、これに限定されるものではなく、加熱されると収縮し、冷却されると伸長する構成とすることも可能である。
【００３０】
上記実施形態では、後側コイルバネ４０を形状記憶合金製としたが、これに限定されるものではなく、後側コイルバネ４０ではなくて前側コイルバネ３０を形状記憶合金製とすることも可能であり、又、前側コイルバネ３０及び後側コイルバネ４０の双方を形状記憶合金製とすることも可能である。尚、前側コイルバネ３０及び後側コイルバネ４０の双方を形状記憶合金製とする場合には、一方が通電加熱されて伸長するときに、他方は通電加熱されて収縮する構成とすればよい。
【００３１】
上記実施形態では、ＣＣＤ２００を固定枠２０，１２０に保持させる構成としたが、これに限定されるものではなく、ＣＣＤ２００を携帯情報端末機側に設ける構成とすることも可能である。
【００３２】
上記した実施形態では、レンズ枠１０，１１０を後側コイルバネ４０あるいはコイルバネ１３０の伸縮量により通常撮影位置及び近接撮影位置に位置決めする構成としたが、これに限定されるわけではなく、レンズ枠１０，１１０に当接して通常撮影位置及び近接撮影位置に規定する位置決め部材を固定枠２０，１２０等に設ける、あるいは、一体的に形成する構成とすることも可能である。
【００３３】
上記実施形態では、レンズ枠１１０にバネ受けリング１１４を設けて、コイルバネ１３０の一端部１３１を回動可能に掛止する構成としたが、これに限定されるものではなく、
バネ受けリングを固定枠側に設ける構成とすることも可能である。また、バネ受けリング１１４を使用せずに、環状支持部１１２にコイルバネ１３０の一端部１３１を回動可能に掛止するための長孔等を形成することも可能であり、又、コイルバネ１３０の一端部１３１をレンズ枠１１０に直接掛止すると共に、他端部１３２を回動可能に掛止するための長孔等を固定枠１２０に形成することも可能である。
【００３４】
上記した実施形態では、マクロ切替用のレンズ駆動装置の場合について説明したが、これに限定されるわけではなく、レンズ駆動装置をズーミング用あるいはフォーカシング用とすることも可能である。
【産業上の利用可能性】
【００３５】
以上述べたように、本発明のレンズ駆動装置は、携帯電話機、携帯型パーソナルコンピュータなどの小型化、軽量化が要求される携帯情報端末機等に搭載されるディジタルカメラユニットのレンズ駆動装置として適用することができるのはもちろんのこと、レンズの駆動を要するものであれば、その他のレンズ光学系においても有用である。
【図面の簡単な説明】
【００３６】
【図１】本発明に係るレンズ駆動装置の一実施形態を示す側面図である。
【図２】レンズ枠が通常撮影位置にある装置の光軸方向の断面図である。
【図３】レンズ駆動装置の分解斜視図である。
【図４】レンズ枠が近接撮影位置にある装置の側面図である。
【図５】レンズ枠が近接撮影位置にある装置の光軸方向の断面図である。
【図６】本発明に係るレンズ駆動装置が搭載された携帯電話機の概観斜視図である。
【図７】本発明に係るレンズ駆動装置の他の実施形態を示す側面図である。
【図８】他の実施形態に係る装置の光軸方向の断面図である。
【図９】他の実施形態に係るレンズ駆動装置の分解斜視図である。
【符号の説明】
【００３７】
１０…レンズ枠
１１…外周面
１２…バネ受け部
１２ａ，１２ｂ…受け面
１３…腕部
２０…固定枠
２１…基部
２１ａ…前面
２２…筒状支持部
２２ａ…内周面
２２ｂ…前端面
２２ｃ…突起
２３…ガイド孔
３０…前側コイルバネ
４０…後側コイルバネ（形状記憶合金バネ）
５０…バネ受け部材
５０ａ…嵌合孔
１１０…レンズ枠
１１１…外周面
１１２…バネ受け部
１１２ａ…溝部
１１３…腕部
１１４…バネ受けリング
１１４ａ…掛止孔
１１４ｂ…受け面
１２０…固定枠
１２１…基部
１２１ａ…前面
１２１ｂ…保持部
１２１ｃ…掛止孔
１２２…筒状支持部
１２３…ガイド孔
１３０…コイルバネ（形状記憶合金バネ）
２００…ＣＣＤ
２５０…駆動回路
３００…カメラユニット
３１０…本体
３２０…蓋部
３２１…搭載部
Ｇ…レンズ
Ｌ…光軸
【図１】
2006098829.tif 000003
【図２】
2006098829.tif 000004
【図３】
2006098829.tif 000005
【図４】
2006098829.tif 000006
【図５】
2006098829.tif 000007
【図６】
2006098829.tif 000008
【図７】
2006098829.tif 000009
【図８】
2006098829.tif 000010
【図９】
2006098829.tif 000011